(57)【特許請求の範囲】
【請求項１】
ユーザが利用するメインコンテンツを前記ユーザの携帯端末画面に表示させるメインコンテンツ表示部と、
前記ユーザとは別の広告主が広告料を支払うことで前記メインコンテンツを利用中の前記携帯端末画面に広告を一定期間表示させる広告表示部と、
前記ユーザが前記広告料に対応する使用料を支払うための料金支払部と、
前記使用料に応じて、前記ユーザが前記広告の代わりに表示させることを希望する代替コンテンツを前記一定期間表示させる代替表示部と、
を備えることを特徴とする広告代替コンテンツ表示システム。
【請求項２】
請求項１に記載の広告代替コンテンツ表示システムにおいて、
前記代替コンテンツは、前記ユーザが勉強するための教材コンテンツであることを特徴とする広告代替コンテンツ表示システム。
【発明の詳細な説明】
【技術分野】
【０００１】
本発明は、広告代替コンテンツ表示システムに関する。
【背景技術】
【０００２】
近年、スマートフォンやタブレットの普及により、携帯端末を使ってゲームなどのアプリケーションソフトウェア（以下、アプリと呼ぶ）を利用する人が増えている。
【０００３】
本発明に関連する技術として、例えば、特許文献１には、サーバから送信された広告をユーザの端末に表示する広告表示方法であって、アプリを実行するためのアプリデータと、広告の動画データの一部である第１動画データとをサーバから受信し、アプリデータと第１動画データとを関連づけて端末のメモリに記憶し、ユーザによるアプリの選択に応答して、アプリデータに基づくアプリを起動し、アプリの起動中にアプリデータに基づく表示と、第１動画データに基づく第１表示とを端末の表示領域に表示し、第１動画データの受信に基づいて、広告の動画データのうち第１動画データとは異なる第２動画データをサーバから受信し、第１表示の表示領域への表示に基づいて、第２動画データに基づく第２表示を表示領域に表示する方法が開示されている。
【０００４】
また、特許文献２には、記憶部、属性分類部、属性情報算出部、潜在性判定部、潜在ユーザの属性抽出部、および出力部を有し、記憶部は、アプリケーションのダウンロードを広告する広告ごとに、広告サイトへのログ情報を記憶し、ログ情報は、広告サイトにアクセスしたユーザのユーザ情報、アクセス時間、アプリケーションのダウンロードの有無を含み、属性分類部は、ログ情報に含まれるユーザ情報に基づいて、アクセスしたユーザを規定の属性に分類し、属性情報算出部は、属性ごとに、アクセスしたユーザ数、およびアクセスしたユーザ数に対するダウンロード率を算出し、潜在性判定部は、属性ごとに、規定の期間におけるアクセスしたユーザ数の減衰率を算出し、算出した減衰率と、規定の減衰率の閾値とから、属性のユーザ群が、広告配信対象の潜在ユーザ群か否かを判定し、潜在ユーザの属性抽出部は、属性のうち、潜在ユーザ群と判断された属性を、ダウンロード率が高い順に、広告配信対象としての重要性が高い属性として抽出し、出力部は、抽出結果を、広告配信先情報として出力することを特徴とする広告配信制御装置が開示されている。
【先行技術文献】
【特許文献】
【０００５】
【特許文献１】特開２０２０−４３０３号公報
【特許文献２】特開２０１９−１７５０４６号公報
【発明の概要】
【発明が解決しようとする課題】
【０００６】
ユーザがスマートフォン等でアプリゲーム等のメインコンテンツを楽しんでいる途中に、一定の期間、広告が流れることがある。ゲームを引き続き楽しむためには、広告を眺めている必要があるが、ユーザが当該広告に関心がなければ無駄な時間となるため、この時間を有効活用することが望ましい。
【０００７】
本発明の目的は、ユーザが利用するメインコンテンツの途中に流れる広告の時間を有効活用することを可能とする広告代替コンテンツ表示システムを提供することである。
【課題を解決するための手段】
【０００８】
本発明に係る広告代替コンテンツ表示システムは、ユーザが利用するメインコンテンツを前記ユーザの携帯端末画面に表示させるメインコンテンツ表示部と、前記ユーザとは別の広告主が広告料を支払うことで前記メインコンテンツを利用中の前記携帯端末画面に広告を一定期間表示させる広告表示部と、前記ユーザが前記広告料に対応する使用料を支払うための料金支払部と、前記使用料に応じて、前記ユーザが前記広告の代わりに表示させることを希望する代替コンテンツを前記一定期間表示させる代替表示部と、を備えることを特徴とする。
【０００９】
また、本発明に係る広告代替コンテンツ表示システムにおいて、前記代替コンテンツは、前記ユーザが勉強するための教材コンテンツであることが好ましい。
【発明の効果】
【００１０】
本発明によれば、ユーザが利用するメインコンテンツの途中に流れる広告の時間をユーザにとって有効な時間に変えることが出来る。
【図面の簡単な説明】
【００１１】
【図１】本発明に係る実施形態の広告代替コンテンツ表示システムを示す図である。
【図２】本発明に係る実施形態の広告代替コンテンツ表示システムにおいて、携帯端末に広告及び代替コンテンツ表示を表示させている様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本発明に係る実施形態の広告代替コンテンツ表示システム１０を示す図である。図２は、広告代替コンテンツ表示システム１０において、携帯端末７に広告及び代替コンテンツ表示を表示させている様子を示す図である。
【００１４】
広告代替コンテンツ表示システム１０は、ユーザ８が利用するメインコンテンツの途中に流れる広告の代わりに代替コンテンツを流す機能を有する。広告代替コンテンツ表示システム１０は、メインコンテンツ表示部１２と、広告表示部１４と、料金支払部１６と、代替表示部１８と、記憶部２０とを備えている。
【００１５】
広告代替コンテンツ表示システム１０には、インターネットなどのネットワーク２を介して複数の広告主６と複数のユーザ８がパーソナルコンピュータやスマートフォンなどの携帯端末７を介して接続されている。また、広告代替コンテンツ表示システム１０には、ネットワーク２を介してサーバ４も接続されている。
【００１６】
サーバ４は、ウェブサーバ３とアドサーバ５を含んで構成される。ウェブサーバ３は、ＨＴＴＰに則り、ユーザ８の携帯端末７の画面のウェブブラウザなどに対して、ＨＴＭＬやオブジェクトの表示を提供するサービスプログラム及び、そのサービスが動作するサーバコンピュータである。
【００１７】
アドサーバ５は、広告掲載メディアからのリクエストを受けて広告の画像やテキスト、リンク情報などをユーザ８の携帯端末７の画面のウェブブラウザなどに送信するサーバコンピュータである。
【００１８】
メインコンテンツ表示部１２は、ユーザ８が利用するメインコンテンツをユーザ８の携帯端末７の画面に表示させる機能を有する。メインコンテンツは、携帯端末７のウェブブラウザを使った閲覧する情報や、アプリゲームなどが含まれている。
【００１９】
広告表示部１４は、ユーザ８とは別の主体である複数の広告主６が広告料を支払うことでメインコンテンツを利用中の携帯端末７の画面に広告を一定期間表示させる機能を有する。広告主６は、法人であるものとして説明するが、もちろん、その他の団体であってもよく、個人でもよい。
【００２０】
広告の種類としては、ページの隅に掲載される動画広告などのインバナー広告、ウェブサイトを読み進めていくと途中で入る広告のインリード広告、ＳＮＳを閲覧している際に流れる動画広告などのインフィード広告、携帯端末７でアプリを使用しているときに表示される広告のインタースティシャル広告などが含まれる。
【００２１】
ここで、メインコンテンツ表示部１２と広告表示部１４を用いて、ウェブブラウザを用いて文字や画像などのメインコンテンツを表示する場合について説明すると、図２（ａ）に示されるように、メインコンテンツ表示部１２の機能を用いて携帯端末７のウェブブラウザを立ち上げて、各ウェブサイトにアクセスすると、ウェブブラウザには、そのサイトのページが表示される。
【００２２】
このとき、ウェブブラウザとサイトのウェブサーバ３との間ではデータのやり取りが行われている。具体的には、ウェブブラウザからウェブサーバ３に対してＨＴＭＬファイルを送信し、ページに広告枠がある場合に、広告表示部１４の機能を用いて、ページに設置されているアドタグからアドサーバ５に広告取得のリクエストが送信され、それを受けたアドサーバ５からウェブブラウザに広告が配信されて表示される。
【００２３】
これに対し、メインコンテンツ表示部１２と広告表示部１４を用いて、アプリを用いてゲームなどのメインコンテンツを表示する場合について説明すると、図２（ｂ）に示されるように、ゲームのコンテンツが表示される途中に、上記アドタグと同様の働きをする広告ＳＤＫの機能によって広告配信が行われる。
【００２４】
料金支払部１６は、ユーザ８が広告料に対応する使用料を支払うことを可能とする機能を有する。一般的に携帯端末７の画面に広告を流すには、複数の広告主６が広告料を支払うことで実現されるが、料金支払部１６は、図１の点線で示されるようにユーザ８自身が広告主となって自分自身の携帯端末７に広告の代わりとなる代替コンテンツを流すための費用を支払うことが可能となっている。
【００２５】
料金支払部１６は、ユーザ８のクレジットカード番号を入力して決済してもよく、プリペイドカードを購入して決済する形にしてもよい。
【００２６】
代替表示部１８は、使用料に応じて、ユーザ８が広告の代わりに表示させることを希望する代替コンテンツを一定期間表示させる機能を有する。ここで、代替コンテンツは、ユーザ８が勉強するための教材コンテンツであるものとして、説明するがもちろん、その他のコンテンツであってもよい。
【００２７】
教材コンテンツは、例えば、税理士、不動産鑑定士、一級建築士、社会福祉士などの国家資格や、日商簿記検定、実用英語技能検定、色彩検定などの公的資格や、ＴＯＥＩＣ、ＣＦＰ資格などの民間資格などを取得するための教材が一例として挙げられるが、もちろん、資格に限らず、ユーザ８自身がスキルアップのために用いる教材であればよい。
【００２８】
広告代替コンテンツ表示システム１０において、記憶部２０以外の各機能は、ハードウェア構成、ソフトウェア構成の何れによっても実現することが可能である。例えば、ソフトウェアによって実現する場合、これらの機能は、実際にはＣＰＵあるいはＭＰＵ、ＲＡＭ、ＲＯＭなどを備えて構成されたサーバ装置上において、ＲＡＭやＲＯＭ、ハードディスク等の記録媒体に記憶された広告代替コンテンツ表示プログラムが動作することによって実現することができる。
【００２９】
記憶部２０は、広告主６及びユーザ８が携帯端末７の画面に表示する広告及び代替コンテンツに関する情報を記録する記憶装置である。
【００３０】
続いて、上記構成の広告代替コンテンツ表示システム１０の作用について説明する。近年、スマートフォンやタブレット端末などの携帯端末７の普及により、携帯端末７を使ってゲームアプリなどを楽しむユーザ８が増えている。
【００３１】
ゲームアプリは、ゲーム途中に一定時間広告を配信することにより収益を上げるビジネスモデルであることが多いが、ユーザ８が当該広告に全く関心がなければ、このような広告を見ている時間が無駄となる。
【００３２】
一方で、スキルアップなどを目的として資格の取得を志すユーザ８がいるが、特に社会人などは通常の仕事に時間が取られてしまい、勉強時間の確保が難しいという事情がある。また、勉強をする時間が確保できたとしても休憩と称しながら携帯端末７を使ってゲームをしてしまい、ゲームに夢中になってしまうことがある。
【００３３】
しかしながら、本発明によれば、広告代替コンテンツ表示システム１０によれば、ユーザ８自身が広告主となって広告の代わりに代替コンテンツを配信するための使用料を支払うことで、代替コンテンツを配信することが出来る。
【００３４】
このようにすることで、仮に、ユーザ８が勉強中にゲームアプリを始めてしまった場合であっても、一般的には広告が流れる時間に、例えば、図２（ｃ）に示されるようなユーザ８自身が勉強している教材（例えば、英語）が表示される。
【００３５】
従来、ゲームの途中に広告が流れたとしても、ユーザ８はゲームをやりたいというモチベーションで興味がない広告でも眺めていたが、この無駄に眺めていた時間をユーザ８自身が勉強している教材に置き換えることで、無駄な時間を勉強時間に置き換えることが出来る。
【００３６】
すなわち、広告代替コンテンツ表示システム１０によれば、ゲームをやりたいというモチベーションを利用して、従来、無駄に過ごしていた時間を勉強時間に充てることができ、有効な時間活用をすることができるという顕著な効果を奏する。
【符号の説明】
【００３７】
２  ネットワーク、３  ウェブサーバ、４  サーバ、５  アドサーバ、６  広告主、７携帯端末、８  ユーザ、１０  広告代替コンテンツ表示システム、１２  メインコンテンツ表示部、１４  広告表示部、１６  料金支払部、１８  代替表示部、２０  記憶部。
【要約】
【課題】ユーザが利用するメインコンテンツの途中に流れる広告の時間を有効活用することを可能とする広告代替コンテンツ表示システムを提供することである。
【解決手段】広告代替コンテンツ表示システム１０は、ユーザ８が利用するメインコンテンツをユーザ８の携帯端末７の画面に表示させるメインコンテンツ表示部１２と、ユーザ８とは別の広告主６が広告料を支払うことでメインコンテンツを利用中の携帯端末７の画面に広告を一定期間表示させる広告表示部１４と、ユーザ８が広告料に対応する使用料を支払うための料金支払部１６と、使用料に応じて、ユーザ８が広告の代わりに表示させることを希望する代替コンテンツを一定期間表示させる代替表示部１８と、を備えることを特徴とする。
【選択図】図１【図１】
0006770275.tif 000002
【図２】
0006770275.tif 000003